(57)【要約】【課題】容器の内圧上昇に伴う破損やキャップの脱落を回避できるキャップを提案する。【解決手段】頂壁部分（２ａ）に、容器内につながる少なくとも１つの貫通孔（２ｂ）を有し容器の口部に固定保持する内キャップ（２）と、この内キャップ（２）に回動可能に被さり外気へと通じる少なくとも１つの通気部を有する外キャップ（３）とからなるものとする。そして、前記内キャップ（２）の貫通孔（２ｂ）と、前記外キャップ（３）の通気部とを、該外キャップ（３）の回動前には不通になっているが、その回動に伴って初めて開通する導通路（４）を介して連結する。【選択図】図１
2006062656.tif 000002
【特許請求の範囲】
【請求項１】
容器の内外を導通させ容器内の圧力上昇を防止する導通路を備えたキャップであって、
容器内につながる少なくとも１つの貫通孔を有し容器の口部に固定保持する内キャップと、この内キャップに回動可能に被さり外気へと通じる少なくとも１つの通気部を有する外キャップとを備え、
前記内キャップの貫通孔と、前記外キャップの通気部とを、該外キャップの回動前には不通になっているが、その回動に伴って初めて開通する導通路を介して連結してなることを特徴とする容器用キャップ。
【請求項２】
前記通気部が、外キャップの天面壁又は側壁部分の表裏において貫通する貫通孔である、請求項１記載の容器用キャップ。
【請求項３】
前記通気部が、外キャップの下端に通じる通路又は隙間である請求項１記載の容器用キャップ。
【請求項４】
前記内キャップの貫通孔及び前記外キャップの通気部の少なくとも一方に、外キャップの回動によって亀裂、クラック若しくはピンホール等の隙間を形成して該貫通孔を開通させる栓体を配置する、請求項１〜３の何れかに記載の容器用キャップ。
【請求項５】
容器の内外を導通させ容器内の圧力上昇を防止する導通路を備えたキャップであって、
頂壁部分に容器内につながる少なくとも１つの貫通孔を有し容器の口部に固定保持する内キャップと、この内キャップに回動可能に被さり外気へと通じる少なくとも１つの通気部を有する外キャップとを備え、
前記内キャップの貫通孔と前記外キャップの通気部との相互間に導通路を設け、該内キャップの貫通孔及び外キャップの通気部の少なくとも一方に、外キャップの回動によって亀裂、クラック若しくはピンホール等の隙間を形成して該貫通孔を開通する栓体を配置したことを特徴とする容器用キャップ。
【請求項６】
前記導通路は、内キャップの頂壁と外キャップの天面壁の相互間に設けられた隙間を内キャップの貫通孔から外キャップの通気部まで伸延させたものである、請求項１〜５の何れかに記載の容器用キャップ。
【請求項７】
前記外キャップの一方向のみの回動を許容するラチェット機構を有する、請求項１〜６の何れかに記載の容器用キャップ。
【請求項８】
前記外キャップの内キャップに対する回動抵抗が、内キャップの、容器の口部に対する開栓トルクよりも小さいものである、請求項１〜７の何れかに記載の容器用キャップ。
【発明の詳細な説明】
【技術分野】
【０００１】
本発明は、容器用キャップに関するものであり、容器の内外を導通させておくことで、内圧力上昇に伴う容器の変形や破損あるいはキャップの脱落等に伴う内容物の飛散を確実に防止しようとするものである。
【背景技術】
【０００２】
種類の異なる内容物を１つの容器に入れて混合して使用に供される毛染剤の如きにおいては、内容物の反応によるガスの発生が不可避であることから、容器内に内容物を残したままキャップを締め込んでおくと内圧の上昇により容器が変形、破損して内容物が漏洩したり、キャップが脱落（吹き飛ぶ）して内容物が飛び散る等の不具合が懸念される。
【０００３】
このため、従来は、容器の口部外周に、上下方向に延びる切欠部を刻設したねじを螺設し、容器肩部の壁面に、ねじキャップの側周壁下端が衝接する上下位置決め部を設け、キャップを締着したとき、肩部の位置決め突起によりキャップの下降位置を規制し、容器口部天面とキャップの頂壁下面との間に隙間を形成し、この隙間を通して容器内のガスを排出するようにしていた（例えば特許文献１参照）。
【特許文献１】特開２００４─９１００１号公報
【０００４】
ところで、容器の口部に切欠部を刻設した従来型の容器は、内容物の混合作業中に容器の内容物が該切欠部に付着することもあって、この場合に目詰まりを起こし容器内で発生するガスを効果的に排出することができず、未だ改善の余地が残されていた。
【発明の開示】
【発明が解決しようとする課題】
【０００５】
本発明の課題は、内容物がもたらす内圧上昇に起因した容器の破損等を確実に回避できる新規な容器用キャップを提案するところにある。
【課題を解決するための手段】
【０００６】
本発明は、容器の内外を導通させ容器内の圧力上昇を防止する導通路を備えたキャップであって、
頂壁部分に容器内につながる少なくとも１つの貫通孔を有し容器の口部に固定保持する内キャップと、この内キャップに回動可能に被さり外気へと通じる少なくとも１つの通気部を有する外キャップとを備え、
前記内キャップの貫通孔と、前記外キャップの通気部とを、該外キャップの回動前には不通になっているが、その回動に伴って初めて開通する導通路を介して連結してなることを特徴とする容器用キャップである。
【０００７】
上記の構成になるキャップにおいて前記通気部は、外キャップの天面壁又は側壁部分の表裏において貫通する貫通孔とするか、外キャップの下端に通じる通路あるいは隙間とするのが好ましい。
【０００８】
前記内キャップの貫通孔及び前記外キャップの通気部の少なくとも一方に、外キャップの回動によって亀裂、クラック若しくはピンホール等の隙間を形成して該貫通孔又は通気部を開通させる栓体を配置するのが好ましい。
【０００９】
また、本発明は、容器の内外を導通させ容器内の圧力上昇を防止する導通路を備えたキャップであって、
頂壁部分に容器内につながる少なくとも１つの貫通孔を有し容器の口部に固定保持する内キャップと、この内キャップに回動可能に被さり外気へと通じる少なくとも１つの通気部を有する外キャップとを備え、
前記内キャップの貫通孔と前記外キャップの通気部との相互間に導通路を設け、該内キャップの貫通孔及び外キャップの通気部の少なくとも一方に、外キャップの回動によって亀裂、クラック若しくはピンホール等の隙間を形成して該貫通孔を開通させる栓体を配置したことを特徴とする容器用キャップである。
【００１０】
前記導通路は、内キャップの頂壁と外キャップの天面壁の相互間に設けられた隙間を内キャップの貫通孔から外キャップの通気部まで伸延させたものが好適である。
【００１１】
前記外キャップの一方向のみの回動を許容するラチェット機構を設けることで導通路は常に開放された状態に維持される。
【００１２】
前記外キャップの内キャップに対する回動抵抗は、内キャップの、容器の口部に対する開栓トルクよりも小さいものとするのがよい。
【発明の効果】
【００１３】
容器の開封前（キャップを取り外して種類の異なる内容物を混合する前）は、導通路は不通になっているが、容器を開封して再びキャップを締め込む段階では、導通路は開通した状態にあるため、容器内でガスが発生しても該ガスは導通路を通して容器の外へと速やかに排出され、容器の変形、破損により内容物が漏洩したり、キャップの脱落等によって内容物が飛び散ることはない。
【発明を実施するための最良の形態】
【００１４】
以下、図面を用いて本発明をより具体的に説明する。
図１（ａ）（ｂ）は本発明にしたがう容器用キャップの実施の形態をその全体について示した図であり、図２は該キャップの分解状態で示した外観斜視図である。
【００１５】
図における１は内容物を収納する容器である。毛染剤を入れる容器として使用される場合、例えば、単層のスクイズ容器や容器の内側に減容可能な袋を備え胴体部分でスクイズできるデラミ容器、二重容器が用いられ、容器の口部には、図示はしないが、櫛歯のついた塗布具が装着される。
【００１６】
また、２は容器１の口部にねじあるいはアンダーカット係合によって固定保持することができる内キャップである。この内キャップ２はその頂壁部分２ａに容器内につながる一対の貫通孔２ｂと、環状溝部２ｃを有している。
【００１７】
３は内キャップ２に抜け出し不能で、かつ、回動可能に被さる外キャップである。この外キャップ３は天面壁３ａにその表裏において貫通する通気部３ｂ（以下、貫通孔３ｂで表示する）と、内キャップ２の環状溝部２ｃによって区画された中心基部２ｄに嵌り込みそこを基点にして外キャップ３を回動させる環状凸部３ｃを有している。
【００１８】
また、４は内キャップ２の貫通孔２ｂと外キャップ３の貫通孔３ｂを相互につなぐ導通路である。導通路４は内キャップ２の頂壁２ａ及び外キャップ３の天面壁３ａの裏面の相互間に設けられた隙間にて構成されており、貫通孔２ｂから貫通孔３ｂまで伸延するものとなっている。
【００１９】
５は内キャップ２の環状溝部２ｃの内側壁上部（中心基部２ｄの外側壁上部に対応する）に設けられた縦溝（拡大図参照）、６は外キャップ３の環状凸部３ｃの内側壁下部に設けられた縦溝（拡大図参照）である。これらの縦溝５、６はリブ７に代えることができるもので、容器１の開封前（キャップの回動前）は互い違いになっており、導通路４はここで不通になっている。
【００２０】
また、８は内キャップ２の上端縁部（頂壁部分２ａの縁部から側壁上部の領域）で該内キャップ２の周りに沿う向きに設けられた一対の凹部（図２参照）、９は凹部８の縦壁８ａに設けられた弾性舌片（図２参照）、１０は外キャップ３の内側壁に設けられ外キャップ３の回動に際して凹部８内にて移動する凸部（図２参照）であり、この凹部８、弾性舌片９及び凸部１０にて外キャップ３の一方向のみの回動を許容するラチェット機構を構成する。
【００２１】
図２において、凹部８の一端をＡポジションとし、もう一端をＢポジションとして、凸部１０がＡポジションに位置している状態を容器の開封前とした場合に、縦溝５、６は互い違いになっている（導通路４は不通）。
【００２２】
容器を開封すべく、キャップを回すと、外キャップ３の、内キャップ２に対する回転抵抗が、内キャップ２の、容器１の口部に対する開栓トルクよりも小さい（摩擦抵抗が小さい）ことから、まず、内キャップ２の回転よりも先に外キャップ３が凹部８の範囲内で回動し、凸部１０が弾性舌片９を乗り越えＢポジションに至った時点で、縦溝５、６が合致して導通路４が開通する。
【００２３】
図３に示すように、凸部１０が凹部８のＢポジションに至ると、外キャップ３を逆向きに回動しようとしても凸部１０の端面が弾性舌片９の先端に突き当たるため、該外キャップ３の動きは阻止され導通路４は開通状態に保持されることとなり、混合に係わる内容物が容器内に残ったままキャップを締め込んでも容器内で発生したガスは導通路４を通して大気中へ速やかに排出される。
【００２４】
図４（ａ）〜（ｅ）に毛染の一般的手順を図解して示す。
通常市販されている毛染剤の如きは、図４（ａ）に示すように容器１に１液が、もう一方の容器１１に２液が充填されており、図４（ｂ）に示すように２液を１液の中に入れて図４（ｃ）に示す如くキャップを締め込んで混合し、次いで、図４（ｄ）に示す如く塗布具を装着して図４（ｅ）に示すように容器内の内容物を塗布具から適量注出しながら頭髪に塗布する。
【００２５】
図５に本発明にしたがう容器用キャップの他の実施の形態を示す。
【００２６】
上掲図１に示した例では容器内につながる貫通孔２ｂは頂壁部分２ａに設けた場合について示したが、該貫通孔２ｂは図５に示すように、環状溝部２ｃの溝底に設けることもできる。貫通孔２ｂの個数はキャップのサイズ等に応じて任意に変更できるものであり、この点については限定されない。
【００２７】
図６は本発明にしたがう容器用キャップのさらに別の実施の形態を要部について示したものであり、図７は図６のＡ─Ａ′断面を示したものである。
【００２８】
内キャップ２の貫通孔２ｂ（外キャップ３の貫通孔３ｂでもよい）には、予め図示したような栓体１２を設けて閉塞させておくことができ、外キャップ３を回動させる際に該栓体１２を引き倒す等して亀裂やピンホール等の隙間を形成することで該貫通孔２ｂを開通させてもよく、この場合、図１に示した縦溝５、６は省略される。
【００２９】
ラチェット機構を構成する弾性舌片９については、図８に示すように片側傾斜の付いた凸部１３に代えることも可能で、この場合、外キャップ３の内側壁に設ける凸部１０は該片側傾斜と同等の角度を有する逆向きの傾斜を設けたものを適用する。
【００３０】
図９（ａ）（ｂ）は本発明にしたがう容器用キャップのさらに別の実施の形態を示したものである。
【００３１】
図９（ａ）は外キャップ３の側壁部でその表裏を貫通するように貫通孔３ｂを設けた例であり、図９（ｂ）は貫通孔３ｂを形成せずに外キャップ３の内側壁と内キャップ２の外側壁の相互間に外キャップ３の下端で外気に通じる通気路ｔを形成したものである。
【００３２】
上掲図９（ａ）（ｂ）に示した構成のキャップは、何れのものも上掲図１に示した縦溝（リブ）５及び６は各々内キャップ２の環状溝部２ｃの外側側壁上部と外キャップ３の環状凸部３ｃの外側壁下部に形成される。
【産業上の利用可能性】
【００３３】
容器内にガスが発生しても導通路を通して効率よく大気との置換ができるので、容器の破損やキャップの脱落によって内容物が漏洩したり飛び散ることがなく、安全性の高い容器用キャップが提供できる。
【図面の簡単な説明】
【００３４】
【図１】本発明にしたがう容器用キャップの実施の形態を示した図であり、（ａ）は平面図、（ｂ）は側面図である。
【図２】図１に示したキャップの分解状態を示した外観斜視図である。
【図３】図１に示したキャップの要部の拡大図である。
【図４】(ａ)〜（ｅ）は毛染剤の塗布要領を示した図である。
【図５】本発明にしたがうキャップの他の実施の形態を示した図である。
【図６】本発明にしたがうキャップのさらに他の実施の形態を要部について示した図である。
【図７】図６のＡ─Ａ′断面を示した図である。
【図８】本発明にしたがうさらに他の実施の形態を要部について示した図である。
【図９】（ａ）（ｂ）は本発明にしたがうキャップのさらに他の実施の形態を示した図である。
【符号の説明】
【００３５】
１  容器
２  内キャップ
２ａ  頂壁部分
２ｂ  貫通孔
２ｃ  環状溝部
２ｄ  中心基部
３  外キャップ
３ａ  天面壁
３ｂ  貫通孔
３ｃ  環状凸部
４  導通路
５  縦溝
６  縦溝
７  リブ
８  凹部
９  弾性舌片
１０  凸部
１１  容器
１２  栓体
１３  凸部
ｔ  通気路
【図１】
2006062656.tif 000003
【図２】
2006062656.tif 000004
【図３】
2006062656.tif 000005
【図４】
2006062656.tif 000006
【図５】
2006062656.tif 000007
【図６】
2006062656.tif 000008
【図７】
2006062656.tif 000009
【図８】
2006062656.tif 000010
【図９】
2006062656.tif 000011